(57)【要約】【課題】  ＡＰＳ−Ｃフォーマットに好適で良好なる光学性能を有し、開放ＦＮＯ２．８程度の広角大口径標準ズームレンズを提供する。【解決手段】  広角端から望遠端への変倍の際、負の第一レンズ群は像側へ移動し、正の第二レンズ群は物体側へ移動し、負の第三レンズ群は物体側に凸の軌跡で移動し、正の第四レンズ群は正の第二レンズ群と一体に物体側へ移動し、負の第五レンズ群は物体側へ凸の軌跡で移動し、正の第六レンズ群は像面に対して固定であり、各レンズ群のパワー配置を適切に設定した。【選択図】  図１
2006337647.tif 000002
【特許請求の範囲】
【請求項１】
物体側より負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、広角から望遠への変倍の際、前記第1レンズ群と第２レンズ群の間隔は小となり、前記第２レンズ群と前記第３レンズの間隔は大となり、前記第３レンズ群と前記第４レンズ群との間隔は小となり、前記第４レンズ群と前記第５レンズ群との間隔は大となり、前記第5レンズ群と前記第6レンズ群の間隔は変化する光学系であって、以下の条件を満足することを特徴とするズームレンズ。
１．０  ＜ ｜ｆ１／ｆｗ｜ ＜ ２．０
１．６  ＜ ｜ｆ５／ｆｗ｜ ＜ ２．７
２．０   ＜ ｆ６／ｆｗ    ＜ ４．２
ただし、ｆｉは第ｉレンズ群の焦点距離
ｆｗは広角端における光学系全体の焦点距離
【請求項２】
以下の条件を満足していることを特徴とする請求項１記載のズームレンズ。
１．０  ＜   ｆ２／ｆｗ   ＜ ２．０
１．３  ＜ ｜ｆ３／ｆｗ｜ ＜ ２．５
１．５  ＜   ｆ４／ｆｗ   ＜ ２．２
【請求項３】
以下の条件を満足していることを特徴とする請求項１乃至２記載のズームレンズ。
０．６  ＜ ｜ｆ５／ｆ６｜ ＜ １．０
【発明の詳細な説明】
【技術分野】
【０００１】
本発明は、広角域を含みかつ大口径のズームレンズに関し、特にＡＰＳ−Ｃサイズフォーマットの一眼レフカメラ、デジタルカメラ等に好適かつ良好なる光学性能を有するズームレンズに関するものである。
【背景技術】
【０００２】
従来より、一眼レフカメラ用のズームレンズとして、物体側から順に負・正・負・正の屈折力配置を有する光学系が知られている。
【０００３】
このズームタイプは負レンズ群先行、所謂ネガティブリードであることから広角端を広画角にするのに適している一方で、望遠端では第１レンズ群と第２レンズ群が全体として正のグループ、第３レンズ群と第４レンズ群が全体として負のグループを構成し、光学系全体として所謂テレフォトタイプとできることから望遠端においても明るいFナンバーとし易いといったメリットを有している。
【０００４】
さらにこの前記ズームタイプを改良し、さらなる高変倍化を達成したズームレンズとして、物体側から順に負・正・負・正・負・正の屈折力配置を有した光学系を、本出願人は特開２００４−１９８５２９に開示している。このズームタイプは前玉径を小型化し易いため、前記ズームタイプからさらなる広角化を可能にしている。
【特許文献１】特開２００４−１９８５２９号公報
【発明の開示】
【発明が解決しようとする課題】
【０００５】
３５ｍｍフォーマット用の光学系をＡＰＳ−Ｃフォーマットのカメラに適用させる時、イメージサイズの比に比例縮小すれば画角を維持できるが、同時にバックフォーカスも縮小してしまうため、特に一眼レフカメラ用の交換レンズの場合、レンズとクイックリターンミラーとの干渉が生じる問題を有していた。前記した物体側から順に負・正・負・正・負・正の屈折力配置を有したズームタイプは、広角端でレトロフォーカスタイプの屈折力配置となっているため、正レンズ群先行、所謂ポジティブリードのズームレンズと比べると長いバックフォーカスを確保するのに有利ではあるものの、上記のイメージサイズ比（約１．６：１）に比例縮小しさらにバックフォーカスを確保するためには、さらに強いレトロフォーカスタイプとしなければならず、その結果レンズ群の屈折力が強くなってしまい、良好なる光学性能を維持することが困難であった。特に銀塩カメラよりも高い光学性能が要求されるデジタル一眼レフカメラの交換レンズへそのまま適用するのは不適当であることは否めなかった。
【０００６】
本発明は上記課題を解決するためになされたもので、ＡＰＳ−Ｃサイズフォーマットの一眼レフカメラに好適で、広角域を含み、変倍比約３．０倍、ＦＮｏ約２．８程度を達成しながらも、長いバックフォーカスを有しかつ良好なる光学性能を有した広角大口径ズームレンズを提供することを目的とする。
【課題を解決するための手段】
【０００７】
前記した課題を解決するために、本発明にズームレンズは、物体側より負の屈折力の第１レンズ群、正の屈折力の第２レンズ群、負の屈折力の第３レンズ群、正の屈折力の第４レンズ群、負の屈折力の第５レンズ群、正の屈折力の第６レンズ群を有し、広角から望遠への変倍の際、前記第1レンズ群と第２レンズ群の間隔は小となり、前記第２レンズ群と前記第３レンズの間隔は大となり、前記第３レンズ群と前記第４レンズ群との間隔は小となり、前記第４レンズ群と前記第５レンズ群との間隔は大となり、前記第5レンズ群と前記第6レンズ群の間隔は変化する光学系であって、かつ以下の条件を満足することを特徴としている。
【０００８】
１．０  ＜ ｜ｆ１／ｆｗ｜ ＜ ２．０  …  （１）
１．６  ＜ ｜ｆ５／ｆｗ｜ ＜ ２．７  …  （２）
２．０  ＜  ｆ６／ｆｗ    ＜ ４．２  …  （３）
ただし、ｆｉは第ｉレンズ群の焦点距離
ｆｗは広角端における光学系全体の焦点距離
以下上記について、説明する。
【０００９】
本ズームレンズのような、負群先行の所謂ネガティブリードタイプのズームレンズの場合、負の第１レンズ群の屈折力を大とすれば、広角端における入射瞳位置を物体側に近くできるため前玉径を小としやすくなり、また強いレトロフォーカスタイプとしやすくなるのでバックフォーカスを長くしやすくなるが、その一方で広角端における負の歪曲収差や、負の倍率色収差が発生しやすくなる。
【００１０】
上記を鑑みて本発明では、条件式（１）を設定している。
【００１１】
条件式（１）は前記負の第１レンズ群の焦点距離を適切に設定するものであり、上限内にあれば、前玉径の小型化とバックフォーカスの確保が容易となり、下限内にあれば広角端における負の歪曲収差及び負の倍率色収差の補正が容易となる。
【００１２】
本発明のズームタイプにおいて前記負の第５レンズ群は、変倍にともなう像面位置の補正をより良好に行なう役割を担うと同時に、広角端において負の第１レンズ群で発生した負の歪曲収差を相殺し、広角端における光学系全体での負の歪曲収差の補正を容易にする効果を有している。
【００１３】
条件式（２）は前記負の第５レンズ群の焦点距離を適切に設定するものであり、上限内にあれば広角端における負の歪曲収差の補正が容易となり、下限内にあれば、望遠端において後続する前記正の第6レンズ群に入射する軸外光束の光軸からの距離を小とできるので、前記正の第6レンズ群のレンズ径を適切に設定ることが容易となる。
【００１４】
本発明のズームタイプにおいて前記正の第６レンズ群は、広角端において光学系全体を強いレトロフォーカスタイプとしバックフォーカスを確保し易くする効果を有しているのと同時に、望遠端における正の歪曲収差の補正を容易にする効果も有している。
【００１５】
条件式（３）は前記負の第６レンズ群の焦点距離を適切に設定するものであり、上限内にあればバックフォーカスの確保が容易となり、下限内にあれば望遠端における正の歪曲収差の補正が容易となる。
【００１６】
望ましくは、条件式（１）〜（３）を以下の範囲とすればよい。
【００１７】
１．４  ＜  ｜ｆ１／ｆｗ｜ ＜ １．７  …  （４）
１．７  ＜  ｜ｆ５／ｆｗ｜ ＜ ２．５  …  （５）
２．４  ＜   ｆ６／ｆｗ    ＜ ３．８  …  （６）
さらに望ましくは請求項２を満足すると良い。
【００１８】
１．０  ＜   ｆ２／ｆｗ   ＜ ２．０  …  （７）
１．３  ＜ ｜ｆ３／ｆｗ｜ ＜ ２．５  …  （８）
１．５  ＜   ｆ４／ｆｗ   ＜ ２．２  …  （９）
請求項２は前記正の第２レンズ群と負の第３レンズ群と正の第４レンズ群の焦点距離を適切に設定するための条件である。
【００１９】
本発明のズームタイプにおいて前記正の第２レンズ群は、望遠端において前記負の第１レンズ群との間隔を小とし、前記負の第１レンズ群と前記正の第２レンズ群が全体として正のグループとなり、光学系全体でテレフォトタイプの屈折力配置を取り易くする効果を有している。
【００２０】
条件式（７）は前記正の第２レンズ群の焦点距離を適切に設定するものであり、上限をこえると、望遠端においてテレフォトタイプの屈折力配置をとりずらくなり、明るいFナンバーの確保が困難となる。下限をこえると、望遠端における球面収差の補正が困難となる。
【００２１】
本発明のズームタイプにおいて前記負の第３レンズ群と前記正の第４レンズ群は、望遠端において全体として負のグループとなり、光学系全体でテレフォトタイプの屈折力配置を取り易くする効果を有している。
【００２２】
条件式（８）は前記負の第３レンズ群の焦点距離を適切に設定するものであり、上限をこえると、望遠端においてテレフォトタイプの屈折力配置をとりずらくなり、明るいFナンバーの確保が困難となる。下限をこえるとコマ収差と歪曲収差の補正が焦点距離全域にわたって困難となる。
【００２３】
条件式（９）は前記正の第４レンズ群の焦点距離を適切に設定するものであり、上限をこえると、変倍比を確保するのが困難となり、下限をこえると、望遠端においてテレフォトタイプの屈折力配置をとりずらくなり、明るいFナンバーの確保が困難となる。
【００２４】
さらに望ましくは、条件式（７）（８）（９）を以下の範囲にすると良い。
【００２５】
１．５  ＜   ｆ２／ｆｗ   ＜ １．８    …  （１０）
１．５  ＜ ｜ｆ３／ｆｗ｜ ＜ ２．２    …  （１１）
１．６５  ＜   ｆ４／ｆｗ   ＜ ２．０  …  （１２）
さらに望ましくは請求項３を満足すると良い。
【００２６】
０．６  ＜ ｜ｆ５／ｆ６｜ ＜ １．０    …  （１３）
条件式（１３）は前記第５レンズ群と第６レンズ群の焦点距離を適切に設定するものであり、上限をこえると望遠端における正の歪曲収差の補正が困難となり、下限をこえると、広角端における負の歪曲収差の補正が困難となる。
【００２７】
さらに望ましくは、条件式（１３）を以下の範囲にすると良い。
【００２８】
０．６  ＜ ｜ｆ５／ｆ６｜ ＜ ０．８    …  （１４）
【発明の効果】
【００２９】
以上説明したように本発明によれば、広角域を含みかつ３倍程度の変倍比を有し、Ｆナンバー２．８程度と大口径でありながらも、長いバックフォーカスと良好なる光学性能を有した広角ズームレンズを提供できる。
【発明を実施するための最良の形態】
【００３０】
図１は本発明の特徴を最も良く表わす図面であり、Ｉは負の第１レンズ群、IIは正の第２レンズ群、IIIは負の第３レンズ群、IVは正の第４レンズ群、Ｖは負の第５レンズ群、VIは正の第６レンズ群、ＳＰは絞り、ＳＳＰは開放Ｆナンバー絞り、IPは像面である。
【００３１】
広角から望遠への変倍の際、Ｉは像側へ移動し、IIは物体側へ移動し、IIIは物体側に凸の軌跡で移動し、IVはIIと一体に物体側へ移動し、Ｖは物体側へ凸の軌跡で移動し、VIは像面に対して固定であり、ＳＰとＳＳＰはIIIと一体で移動している。
【００３２】
図３，４（数値実施例３，４）についても、各レンズ群の移動および相対位置関係は上記と同様である。
【００３３】
図２（数値実施例２）は、広角から望遠への変倍の際、Ｉは像側へ移動し、IIは物体側へ移動し、IIIは物体側に凸の軌跡で移動し、IVはIIと一体に物体側へ移動し、Ｖは物体側へ移動し、VIは像面に対して固定であり、ＳＰとＳＳＰはIIIと一体で移動する。
【００３４】
近距離へのフォーカシングはどのレンズ群で行ってもよいが、Ｖを像側に移動させて行うことが望ましい。
【００３５】
また、本発明の光学系の非球面のうち、最も物体側の面と最も像側の面以外に配置された非球面であれば、球面レンズの表面に樹脂等による非球面層を形成しても良い。
【００３６】
数値実施例 1
ｆ＝ 15.45 〜 43.50  Ｆｎｏ＝ 2.90 〜 2.90  ２ω＝83.0 〜 34.9
* R 1 =   98.340      D 1 =  1.60      N 1 = 1.772499      ν 1 = 49.6
R 2 =   22.614      D 2 =  9.88
R 3 =  -81.137      D 3 =  1.50      N 2 = 1.772499      ν 2 = 49.6
R 4 =  120.736      D 4 =  0.38
R 5 =   38.568      D 5 =  2.80      N 3 = 1.805181      ν 3 = 25.4
R 6 =   44.474      D 6 =  可変
R 7 =  235.614      D 7 =  1.20      N 4 = 1.805181      ν 4 = 25.4
R 8 =   50.118      D 8 =  6.48      N 5 = 1.717004      ν 5 = 47.9
R 9 =  -62.788      D 9 =  0.15
R10 =   76.380      D10 =  2.75      N 6 = 1.834807      ν 6 = 42.7
R11 = -13664.4      D11 =  0.25
R12 =   39.210      D12 =  3.63      N 7 = 1.696797      ν 7 = 55.5
R13 =  459.594      D13 =  可変
R14 =  Fno絞り     D14 =  2.05
R15 =  -78.566      D15 =  0.80      N 8 = 1.882997      ν 8 = 40.8
R16 =   40.879      D16 =  1.55
R17 =  -71.591      D17 =  1.00      N 9 = 1.799516      ν 9 = 42.2
R18 =   26.536      D18 =  3.08      N10 = 1.846660      ν10 = 23.9
R19 = -127.778      D19 =  2.19
R20 =    絞り       D20 =  可変 
R21 =  745.140      D21 =  0.80      N11 = 1.846660      ν11 = 23.9
R22 =   21.179      D22 =  5.47      N12 = 1.496999      ν12 = 81.5
R23 =  -37.663      D23 =  0.15
R24 =   31.603      D24 =  5.14      N13 = 1.617722      ν13 = 49.8
R25 =  -43.058      D25 =  可変
R26 =  -98.468      D26 =  3.33      N14 = 1.846660      ν14 = 23.9
R27 =  -24.669      D27 =  0.15
R28 =  -24.861      D28 =  0.80      N15 = 1.834000      ν15 = 37.2
R29 =   32.889      D29 =  可変
R30 =   44.414      D30 =  5.37      N16 = 1.583126      ν16 = 59.4
* R31 =  -47.465
＼焦点距離    15.45    22.05    43.50
可変間隔＼
D 6            39.63    22.16      5.00
D13             2.73     6.71     20.01
D20            19.62    15.64      2.34
D25             1.14     3.78     11.21
D29             1.02     6.36      6.30
非球面係数
1面:Ａ=0.00000e+00  Ｂ=4.60320e-06  Ｃ=7.65435e-09  Ｄ=-4.70981e-11
Ｅ=1.01645e-13  F=-8.08447e-17
31面:Ａ=-0.00000e+00  Ｂ=3.90021e-06  Ｃ=-4.42820e-08  Ｄ=6.25825e-10
Ｅ=-3.39955e-12  F=6.89730e-15
数値実施例 ２
ｆ＝ 15.45〜  43.67  Ｆｎｏ＝ 2.90 〜 2.90  ２ω＝83.0 〜 34.7
* R 1 =  118.454      D 1 =  1.60      N 1 = 1.772499      ν 1 = 49.6
R 2 =   25.209      D 2 =  8.84
R 3 = -145.550      D 3 =  1.50      N 2 = 1.772499      ν 2 = 49.6
R 4 =   77.215      D 4 =  1.60
R 5 =   44.872      D 5 =  2.80      N 3 = 1.805181      ν 3 = 25.4
R 6 =   50.846      D 6 =  可変
R 7 =  830.586      D 7 =  1.20      N 4 = 1.805181      ν 4 = 25.4
R 8 =   66.291      D 8 =  5.75      N 5 = 1.717004      ν 5 = 47.9
R 9 =  -66.335      D 9 =  0.15
R10 =   85.891      D10 =  2.62      N 6 = 1.834807      ν 6 = 42.7
R11 = -1367.81      D11 =  0.25
R12 =   36.700      D12 =  3.78      N 7 = 1.696797      ν 7 = 55.5
R13 =  394.963      D13 =  可変
R14 =  Fno絞り     D14 =  1.93
R15 = -112.384      D15 =  0.80      N 8 = 1.882997      ν 8 = 40.8
R16 =   41.581      D16 =  1.77
R17 =  -50.048      D17 =  1.00      N 9 = 1.799516      ν 9 = 42.2
R18 =   31.303      D18 =  3.72      N10 = 1.846660      ν10 = 23.9
R19 =  -74.062      D19 =  0.85
R20 =    絞り       D20 =  可変 
R21 = -14189.3      D21 =  0.80      N11 = 1.846660      ν11 = 23.9
R22 =   22.120      D22 =  6.58      N12 = 1.496999      ν12 = 81.5
R23 =  -32.906      D23 =  0.15
R24 =   31.547      D24 =  4.97      N13 = 1.617722      ν13 = 49.8
R25 =  -50.570      D25 =  可変
R26 =  -67.718      D26 =  3.10      N14 = 1.846660      ν14 = 23.9
R27 =  -24.579      D27 =  0.15
R28 =  -24.919      D28 =  0.80      N15 = 1.834000      ν15 = 37.2
R29 =   39.082      D29 =  可変
R30 =   64.493      D30 =  5.15      N16 = 1.583126      ν16 = 59.4
* R31 =  -40.673
＼焦点距離    15.45    22.03    43.67
可変間隔＼
D 6            44.99    24.83      5.00
D13             2.80     6.45     20.81
D20            20.42    16.77      2.40
D25             1.18     3.86     10.51
D29             1.07     5.74      5.86
非球面係数
1面:Ａ=0.00000e+00  Ｂ=4.38680e-06  Ｃ=4.37520e-09  Ｄ=-2.95384e-11  
Ｅ=6.11818e-14  F=-4.59279e-17
31面:Ａ=-0.00000e+00  Ｂ=3.33597e-06  Ｃ=-4.62547e-08  Ｄ=6.62795e-10  
Ｅ=-3.87403e-12  F=8.78628e-15
数値実施例 ３
ｆ＝ 17.50〜  53.85  Ｆｎｏ＝ 2.90 〜 2.90  ２ω＝76.0 〜 28.5
* R 1 =   70.974      D 1 =  1.80      N 1 = 1.651597      ν 1 = 58.5
R 2 =   21.951      D 2 = 11.61
R 3 =  -76.746      D 3 =  1.50      N 2 = 1.804000      ν 2 = 46.6
R 4 =   95.960      D 4 =  0.86
R 5 =   52.622      D 5 =  3.06      N 3 = 1.698947      ν 3 = 30.1
R 6 =  113.872      D 6 =  可変
R 7 =  308.620      D 7 =  1.30      N 4 = 1.740769      ν 4 = 27.8
R 8 =   38.287      D 8 =  5.59      N 5 = 1.804000      ν 5 = 46.6
R 9 =  -82.796      D 9 =  0.15
R10 =   81.345      D10 =  3.02      N 6 = 1.804000      ν 6 = 46.6
R11 = -520.090      D11 =  0.15
R12 =   40.588      D12 =  3.39      N 7 = 1.696797      ν 7 = 55.5
R13 =  123.110      D13 =  可変
R14 =  Fno絞り     D14 =  1.80
R15 = -242.268      D15 =  0.80      N 8 = 1.804000      ν 8 = 46.6
R16 =   40.418      D16 =  2.73
R17 =  -35.170      D17 =  0.80      N 9 = 1.882997      ν 9 = 40.8
R18 =   30.769      D18 =  4.19      N10 = 1.805181      ν10 = 25.4
R19 =  -52.133      D19 =  0.30
R20 =    絞り       D20 =  可変 
R21 =  135.285      D21 =  0.80      N11 = 1.846660      ν11 = 23.9
R22 =   24.719      D22 =  6.21      N12 = 1.438750      ν12 = 95.0
R23 =  -42.406      D23 =  0.15
R24 =   37.425      D24 =  5.11      N13 = 1.696797      ν13 = 55.5
R25 =  -52.831      D25 =  可変
R26 =  -62.639      D26 =  2.42      N14 = 1.846660      ν14 = 23.8
R27 =  -31.402      D27 =  0.15
R28 =  -34.565      D28 =  0.80      N15 = 1.749500      ν15 = 35.3
R29 =   30.107      D29 =  1.37
R30 =   69.901      D30 =  1.66      N16 = 1.805181      ν16 = 25.4
R31 =  269.464      D31 =  可変
R32 =   60.617      D32 =  5.78      N17 = 1.487490      ν17 = 70.2
R33 =  -59.398
＼焦点距離    17.50    35.02    53.85
可変間隔＼
D 6            48.03    14.93      2.50
D13             3.41    10.84     18.43
D20            16.97     9.54      1.95
D25             1.19     5.68     14.14
D31             1.79    13.20     10.64
非球面係数
1面 :  Ａ=0.00000e+00  Ｂ=3.06096e-06  Ｃ=6.66178e-09  Ｄ=-2.77824e-11
Ｅ=5.30432e-14  F=-3.78175e-17
数値実施例４
ｆ＝ 17.50〜  53.84  Ｆｎｏ＝ 2.90〜 2.90 2ω＝76.0 〜 28.5
* R 1 =   94.774      D 1 =  1.80      N 1 = 1.583126      ν 1 = 59.4
R 2 =   22.039      D 2 = 11.65
R 3 =  -85.458      D 3 =  1.50      N 2 = 1.804000      ν 2 = 46.6
R 4 =   73.373      D 4 =  0.15
R 5 =   48.650      D 5 =  3.30      N 3 = 1.800999      ν 3 = 35.0
R 6 =  109.864      D 6 =  可変
R 7 =  488.390      D 7 =  1.30      N 4 = 1.755199      ν 4 = 27.5
R 8 =   43.927      D 8 =  5.02      N 5 = 1.804000      ν 5 = 46.6
R 9 =  -82.599      D 9 =  0.15
R10 =   82.872      D10 =  2.95      N 6 = 1.804000      ν 6 = 46.6
R11 = -475.119      D11 =  0.15
R12 =   38.909      D12 =  3.55      N 7 = 1.696797      ν 7 = 55.5
R13 =  141.269      D13 =  可変
R14 =  Fno絞り     D14 =  1.85
R15 = -191.154      D15 =  0.80      N 8 = 1.804000      ν 8 = 46.6
R16 =   39.819      D16 =  2.55
R17 =  -41.373      D17 =  0.80      N 9 = 1.882997      ν 9 = 40.8
R18 =   31.696      D18 =  3.81      N10 = 1.846660      ν10 = 23.9
R19 =  -69.727      D19 =  0.60
R20 =    絞り       D20 =  可変 
R21 =  166.066      D21 =  0.80      N11 = 1.846660      ν11 = 23.9
R22 =   25.207      D22 =  6.15      N12 = 1.438750      ν12 = 95.0
R23 =  -41.228      D23 =  0.15
R24 =   38.872      D24 =  5.10      N13 = 1.696797      ν13 = 55.5
R25 =  -50.905      D25 =  可変
R26 =  -51.482      D26 =  2.26      N14 = 1.846660      ν14 = 23.8
R27 =  -30.935      D27 =  0.15
R28 =  -35.428      D28 =  0.80      N15 = 1.749500      ν15 = 35.3
R29 =   31.884      D29 =  1.39
R30 =   77.669      D30 =  1.74      N16 = 1.805181      ν16 = 25.4
R31 =  702.956      D31 =  可変
R32 =   56.834      D32 =  6.13      N17 = 1.487490      ν17 = 70.2
R33 =  -56.998
＼焦点距離    17.50    34.36    53.84
可変間隔＼
D 6            48.70    15.06      2.77
D13             3.28     9.86     17.72
D20            16.48     9.90      2.04
D25             1.19     6.84     15.37
D31             1.84    12.38      9.86
非球面係数
1面 :  Ａ=0.00000e+00  Ｂ=3.40161e-06  Ｃ=6.53322e-09  Ｄ=-2.82642e-11
Ｅ=5.10700e-14  F=-3.40554e-17
図５〜８は各々数値実施例 １〜４において物体距離が無限遠の状態での収差図であり、（ａ）は広角端の収差図、（ｂ）は中間焦点距離の収差図、（ｃ）は望遠端の収差図である。
【００３７】
図９は条件式に対する数値実施例の数値である。
【００３８】
数値実施例においてＲｉは物体側より順に第ｉ番目のレンズ厚及び空気間隔、Ｎｉとνｉは各々物体側より順に第ｉ番目のレンズのガラスの屈折率とアッベ数である。
【００３９】
非球面形状は光軸方向にＸ軸、光軸と垂直方向にＨ軸、光の進行方向を正とし、Ｒを近軸曲率半径、Ａ，Ｂ，Ｃ，Ｄ，Ｅを各々非球面係数としたとき
【００４０】
【数１】
2006337647.tif 000003
【図面の簡単な説明】
【００４１】
【図１】数値実施例 １のレンズ構成図である。
【図２】数値実施例 ２のレンズ構成図である。
【図３】数値実施例 ３のレンズ構成図である。
【図４】数値実施例 ４のレンズ構成図である。
【図５】数値実施例 １において物体距離が無限遠の状態での収差図である。
【図６】数値実施例 ２において物体距離が無限遠の状態での収差図である。
【図７】数値実施例 ３において物体距離が無限遠の状態での収差図である。
【図８】数値実施例 ４において物体距離が無限遠の状態での収差図である。
【図９】条件式に対する数値実施例の数値をしめす収差図である。
【符号の説明】
【００４２】
レンズ構成図中Ｉ，II，III，IV、Ｖ、VIはそれぞれ第１，２，３，４、５，６レンズ群を、ＳＰは絞り、ＳＳＰは開放ＦＮｏ絞り，IPは像面を示す。収差図中、ｄはｄ線、ｇはｇ線、ΔＳはサジタル像面、ΔＭはメリジオナル像面を示す。
【図１】
2006337647.tif 000004
【図２】
2006337647.tif 000005
【図３】
2006337647.tif 000006
【図４】
2006337647.tif 000007
【図５】
2006337647.tif 000008
【図６】
2006337647.tif 000009
【図７】
2006337647.tif 000010
【図８】
2006337647.tif 000011
【図９】
2006337647.tif 000012